(57)【要約】      （修正有）【課題】生産管理のコストを削減し、かつ設置時の利便性を向上できる空気調和機を提供する。【解決手段】長手方向の両端部にそれぞれ第１コネクタ１０を設けた室内機と、第１コネクタ１０に係合して接続される第２コネクタ６ｂを有して室内機に電力を供給する電源コード６とを備えた。【選択図】図２
2018021708.tif 000002
【特許請求の範囲】
【請求項１】
長手方向の両端部にそれぞれ第１コネクタを設けた室内機と、前記第１コネクタに係合して接続される第２コネクタを有して前記室内機に電力を供給する電源コードとを備えたことを特徴とする空気調和機。
【請求項２】
前記室内機の筐体が前記電源コードを挿通する開口部を開口し、前記筐体の外壁にネジ止めして前記開口部を覆う蓋部を備えたことを特徴とする請求項１に記載の空気調和機。
【請求項３】
前記蓋部が前記外壁との間に前記電源コードを挟むクランプ部を有することを特徴とする請求項２に記載の空気調和機。
【請求項４】
前記開口部に面して前記室内機の内部に設置される固定部材を備え、前記第１コネクタに設けた爪部により前記第１コネクタが前記固定部材に固定されることを特徴とする請求項２または３に記載の空気調和機。
【発明の詳細な説明】
【技術分野】
【０００１】
本発明は、室内に取り付けられる室内機を備えた空気調和機に関する。
【背景技術】
【０００２】
従来の空気調和機は特許文献１に開示されている。このセパレート型の空気調和機は室内の壁面に取り付けられる室内機の一方の側端部に配される電装部に電源コードが接続される。電装部に隣接した筐体の側壁上には電源コードが挿通される開口部が開口し、開口部に近設される電源コンセントに電源コードのプラグが挿入される。これにより、空気調和機に電力が供給される。
【先行技術文献】
【特許文献】
【０００３】
【特許文献１】特開２００１−１４７０２５号公報
【発明の概要】
【発明が解決しようとする課題】
【０００４】
しかしながら、上記従来の空気調和機によると、室内機の設置場所によって室内機に対して開口部の反対側の側方に電源コンセントが配される場合がある。この時、開口部から延びる電源コードの長さが不足する虞があり、空気調和機の設置時の利便性が悪い問題があった。
【０００５】
また、空気調和機の定格電圧及び定格電流の仕様が異なると、これに伴い電源コードの仕様が異なる。このため、仕様の異なる電源コードを空気調和機内部の電装ユニットに接続する必要があるため、電源コード以外の構造部が同一の室内機を機種に応じて複数製造する必要がある。これにより、空気調和機の電装ユニットの種類が増えるため生産管理のコストが大きくなる問題もあった。
【０００６】
本発明は、生産管理のコストを削減し、かつ空気調和機設置時の利便性を向上できる空気調和機を提供することを目的とする。
【課題を解決するための手段】
【０００７】
上記目的を達成するために本発明は、長手方向の両端部にそれぞれ第１コネクタを設けた室内機と、前記第１コネクタに係合して接続される第２コネクタを有して前記室内機に電力を供給する電源コードとを備えたことを特徴とする。
【０００８】
また、本発明は上記構成の空気調和機において、前記室内機の筐体が前記電源コードを挿通する開口部を開口し、前記筐体の外壁にネジ止めして前記開口部を覆う蓋部を備えたことを特徴とする。
【０００９】
また、本発明は上記構成の空気調和機において、前記蓋部が前記外壁との間に前記電源コードを挟むクランプ部を有することを特徴とする。
【００１０】
また、本発明は上記構成の空気調和機において、前記筐体の内部に設置して第１コネクタに設けた爪部により第１コネクタを固定する固定部材を設けたことを特徴とする。
【発明の効果】
【００１１】
本発明によると、電源コンセントの位置による電源コードの長さの不足を防止できるとともに、仕様の異なる電源コードを容易に接続できる。したがって、空気調和機のコストを削減し、室内機の設置時の利便性を向上することができる。
【図面の簡単な説明】
【００１２】
【図１】本発明の第１実施形態の空気調和機を示す斜視図
【図２】本発明の第１実施形態の空気調和機の室内機を示す正面断面図
【図３】本発明の第１実施形態の空気調和機室内機の左側端部の詳細を示す正面断面図
【図４】本発明の第２実施形態の空気調和機室内機の左側端部の詳細を示す正面断面図
【図５】図４のＡ−Ａ断面図
【図６】本発明の第３実施形態の空気調和機の室内機を示す斜視図
【発明を実施するための形態】
【００１３】
以下に図面を参照して本発明の実施形態を説明する。図１は第１実施形態のセパレート型の空気調和機の斜視図を示している。空気調和機１００は室内機１及び室外機９９から構成される。室内機１は室内の壁面Ｗに設置され、屋外に設置された室外機９９に外部配線９８により接続される。室内機１はリモートコントローラ（不図示）の操作により運転開始や運転停止等が指示される。
【００１４】
室内機１は長手方向を左右方向に形成され、着脱可能なフロントパネル３を前面に配した筐体２により外面を覆われる。筐体２の側面からは電源コード６が導出される。電源コード６はプラグ６ｃ（図２参照）を壁面Ｗに設けた電源コンセントＣに接続され、室内機１に電力を供給する。
【００１５】
筐体２の上面には吸込口４が左右方向に延びて開口し、筐体２の前面下部には吹出口５が左右方向に延びて開口する。筐体２の内部には吸込口４と吹出口５とを連結する空気通路（不図示）が設けられる。空気通路内には空気を送出する送風機（不図示）が配される。送風機の駆動によって吸込口４から室内の空気が空気通路に流入し、吹出口５から送出される。送風機が備えるファンとしてはクロスフローファンが好適に用いられるが、他の種類の送風機、例えばプロペラファンを備える送風機を用いてもよい。
【００１６】
空気通路内の吸込口４と送風機（不図示）との間には熱交換器が配される。熱交換器は冷凍サイクルに組み込まれており、室外機９９に配した圧縮機（不図示）に接続され、空気通路を流通する空気と熱交換を行う。これにより、空気調和機１００の冷房運転時及び暖房運転時に、吹出口５から冷気及び暖気が室内にそれぞれ送出される。
【００１７】
図２は室内機１の要部の正面断面図を示している。筐体２の長手方向の左右の両側壁２ｃには開口部２ａが開口する。各開口部２ａはそれぞれ蓋部１５により覆われる。筐体２の内部の一側部（図中、右側）には電装ボックス７が配される。電装ボックス７は空気調和機１００の駆動を制御する制御基板（不図示）が配される。制御基盤上にはＡＣ回路７ａが実装され、ＡＣ回路７ａには電源コード６を介して電力が供給される端子台７ｂを有している。
【００１８】
端子台７ｂには図中、右方の開口部２ａに面したコネクタ１０（第１コネクタ）が配線（不図示）を介して接続される。また、端子台７ｂには左方の開口部２ａに面したコネクタ１０（第１コネクタ）が左右に延びる配線２０を介して接続される。左右のコネクタ１０は同じ形状に形成される。
【００１９】
電源コード６はコード部６ａの一端にプラグ６ｃが設けられ、他端にコネクタ１０に接続されるコネクタ６ｂ（第２コネクタ）が設けられる。従って、コネクタ１０は筐体２の長手方向の両端部に設けられる。
【００２０】
図３は室内機１の左側端部の詳細を示す正面断面図である。室内機１の内部には開口部２ａに面して固定部材９が立設される。コネクタ１０は配線２０が導出される台座部１１と、コネクタ６ｂが挿入される挿入部１２とを有している。挿入部１２の周面には弾性変形可能な複数の爪部１２ａが設けられる。固定部材９に設けた孔部９ａに挿入部１２を挿入すると、固定部材９が台座部１１及び爪部１２ａにより挟持される。これにより、コネクタ１０が固定部材９に固定される。なお、コネクタ１０を固定部材９にねじ止めしてもよい。
【００２１】
電源コード６のコネクタ６ｂの周面には弾性変形可能な係止爪６ｄが設けられる。開口部２ａに挿通したコネクタ６ｂの先端部を挿入部１２に挿入して電源コード６がコネクタ１０に接続される。この時、係止爪６ｄが挿入部１２の周面に係合し、コネクタ６ｂが抜け止めされる。
【００２２】
開口部２ａを覆う蓋部１５は縦断面がコ字状の突出部１５ｂの上端に係止部１５ｃが突設され、下端に当接部１５ｅが突設される。係止部１５ｃは筐体２の側壁２ｃの内面に係止される。当接部１５ｅは側壁２ｃの外面（外壁）上に当接し、ネジ２５によりネジ止めされる。また、突出部１５ｂの下壁には筐体２側を開放した孔部１５ａが設けられる。
【００２３】
なお、室内機１の右側の蓋部１５及びコネクタ１０も同様の構造を有している。
【００２４】
上記構成の空気調和機１００において、左右の一方の蓋部１５が取り外され、開口部２ａを介して電源コード６のコネクタ６ｂがコネクタ１０に接続される。次に、蓋部１５の係止部１５ｃを筐体２の側壁２ｃの内面に係止して孔部１５ａに電源コード６のコード部６ａを挿通し、側壁２ｃの外面（外壁）上に当接部１５ｅを当接させる。そして、当接部１５ｅ上をネジ２５によりネジ止めして蓋部１５が装着される。
【００２５】
これにより、電源コード６を室内機１の長手方向（左右方向）の所望の端部に着脱可能に接続することができる。したがって、電源コンセントＣの位置による電源コード６の長さの不足を防止できる。
【００２６】
この時、コネクタ６ｂは係止爪６ｄによりコネクタ１０に係合するため、電源コード６が引っ張られた際のコネクタ６ｂ、１０間の接続解除を防止することができる。また、コネクタ１０が爪部１２ａにより固定部材９に固定されるため、電源コード６が引っ張られた際の端子台７ｂと配線２０との間の接続解除を防止することができる。
【００２７】
なお、コネクタ１０を筐体２に固定すると、筐体２の装着時に配線２０が引っ張られて端子台７ｂと配線２０との間の接続が解除される虞がある。このため、室内機１の内部に固定部材９を設けることにより、室内機１の製造時にコネクタ１０を固定部材９に固定した後に筐体２を装着することができる。したがって、端子台７ｂと配線２０との間の接続解除をより確実に防止することができる。
【００２８】
本実施形態によると、室内機１の長手方向（左右方向）の両端部にコネクタ１０（第１コネクタ）を設け、コネクタ１０に係合して接続されるコネクタ６ｂ（第２コネクタ）を電源コード６に設けた。
【００２９】
これにより、室内機１の所望の端部に電源コード６を着脱可能に接続することができる。このため、電源コンセントＣが室内機１の左右のどちらに配置されていても、電源コード６の長さの不足を防止でき、室内機１の設置時の利便性を向上することができる。また、仕様の異なる電源コード６を室内機１に容易に接続でき、空気調和機１００の生産管理のコストを削減できる。
【００３０】
また、室内機１の側壁２ｃ（外壁）にネジ止めして開口部２ａを覆う蓋部１５を備えた。これにより、筐体２内への塵埃の進入を防止するとともに、室内機１の美観低下を防止することができる。
【００３１】
また、開口部２ａに面して室内機１の内部に設置される固定部材９にコネクタ１０が爪部１２ａにより固定される。これにより、電源コード６が引っ張られた際の端子台７ｂと配線２０との間の接続解除を防止することができる。また、室内機１の製造時にコネクタ１０を固定部材９に固定した後に筐体２を装着することができ、端子台７ｂと配線２０との間の接続解除をより確実に防止することができる。
【００３２】
＜第２実施形態＞
次に、図４は第２実施形態の室内機１の左側端部の詳細を示す正面断面図である。また、図５は図４のＡ−Ａ断面図を示している。説明の便宜上、前述の図１〜図３と同様の部分には同一の符号を付している。本実施形態は第１実施形態に対し、蓋部１５にクランプ部３０が設けられている点が異なる。その他の部分は第１実施形態と同様である。
【００３３】
蓋部１５の突出部１５ｂの下壁に設けられる孔部１５ａは筐体２側を開放し、孔部１５ａの深さＤは電源コード６のコード部６ａの直径よりも若干小さく形成される。
【００３４】
このため、蓋部１５をネジ２５によりネジ止めすると、コード部６ａが上下に延びた孔部１５ａの内壁と筐体２の側壁２ｃ（外壁）との間に挟持してクランプされる。すなわち、孔部１５ａは筐体２の側壁２ｃ（外壁）との間に電源コード６を挟むクランプ部３０を形成する。
【００３５】
本実施形態によると、第１実施形態と同様の効果を奏することができる。また、クランプ部３０を蓋部１５に設けたので、電源コード６が引っ張られた際のコネクタ６ｂ、１０間の接続解除をより確実に防止することができる。
【００３６】
＜第３実施形態＞
次に、図６は第３実施形態の空気調和機１００の斜視図を示している。説明の便宜上、前述の図１〜図３に示す第１実施形態と同様の部分には同一の符号を付している。本実施形態は、空気調和機１００が窓に取り付けられるウィンド型に構成される。その他の部分は第１実施形態と同様である。
【００３７】
空気調和機１００は室内機１の背面に室外機９９（図１参照）を一体化した一体型に構成され、室内の壁面Ｗに設けた窓に取り付けられる。室内機１は長手方向を上下方向に形成され、筐体２により外面を覆われる。筐体２の前面には吸込口４及び吹出口５が開口する。
【００３８】
筐体２の上壁２ｅ及び下壁２ｆには蓋部１５により覆われる開口部２ａが開口する。第１実施形態と同様に、前述の図３に示すように、開口部２ａに面した固定部材９にコネクタ１０が固定される。コネクタ１０には電源コード６の一端に設けたコネクタ６ｂが係合して接続される。
【００３９】
本実施形態によると、第１実施形態と同様に、電源コンセントＣ（図１参照）が室内機１の上下のどちらに配置されても、電源コード６の長さの不足を防止できる。
【００４０】
以上、本発明の実施形態につき説明したが、本発明の範囲はこれに限定されるものではなく、発明の趣旨を逸脱しない範囲で種々の変更を加えて実施することができる。また、本発明の実施形態のうちいくつか或いはすべてを組み合わせて用いてもよい。
【００４１】
例えば、実施形態１や実施形態２では筐体２の長手方向の両端部の左右側壁に開口部２ａが開口しているが、両端部の下壁に開口部を開口させてもよい。また、実施形態３では、筐体２の長手方向の両端部の上下壁に開口部２ａが開口しているが、両端部の側壁に開口部を開口させてもよい。
【産業上の利用可能性】
【００４２】
本発明によると、室内に取り付けられる室内機を備えた空気調和機に利用することができる。
【符号の説明】
【００４３】
１        室内機
２        筐体
２ａ      開口部
２ｃ      側壁
２ｅ      上壁
２ｆ      下壁
３        フロントパネル
４        吸込口
５        吹出口
６        電源コード
６ａ      コード部
６ｂ      コネクタ（第２コネクタ）
６ｃ      プラグ
６ｄ      係止爪
７        電装ボックス
７ａ      ＡＣ回路
７ｂ      端子台
９        固定部材
９ａ      孔部
１０        コネクタ（第１コネクタ）
１１        台座部
１２        挿入部
１２ａ      爪部
１５        蓋部
１５ａ      孔部
１５ｂ      突出部
１５ｃ      係止部
２０        配線
２５        ネジ
３０        クランプ部
９９        室外機
１００        空気調和機
Ｃ        電源コンセント
Ｗ        壁面
【図１】
2018021708.tif 000003
【図２】
2018021708.tif 000004
【図３】
2018021708.tif 000005
【図４】
2018021708.tif 000006
【図５】
2018021708.tif 000007
【図６】
2018021708.tif 000008